(57)【要約】  レーザポインタの不都合面である輝点の見つけにくさ等を解消した、好適なプレゼンテーション用システムを提供する。そのために、画面６をディスプレイに表示またはプロジェクタ４に投影させるための信号を出力する情報処理装置１と、情報処理装置１と通信可能であり操作者が把持して操作する操作装置２とを組み合わせたシステムを構成する。操作装置２には、当該操作装置２の運動方向を検出するジャイロセンサを実装する。情報処理装置１は、操作装置２からもたらされる運動方向の情報を受信し、その運動方向に応じて画面６内でカーソル８１を表示させる描画位置を決定しカーソル８１を描画するとともに、カーソル８１と画面６の外周縁部とを結ぶ指示線８２をも描画する。
2012121277.tif 000002
【特許請求の範囲】
【請求項１】
プレゼンテーション用の画像を描画した画面を表示装置を介して表示させるための信号を出力する機能を有する情報処理装置と、前記情報処理装置と通信可能であり操作者が把持して操作する操作装置とを組み合わせてなるプレゼンテーション用システムであって、
前記操作装置が、
当該操作装置の運動方向を検出する動作検出部と、
操作者の手指による、前記画面を見る観者に対して当該画面上のある位置を指し示すためのオブジェクトを画面内に出現させるべき旨を示す入力を受け付ける入力受付部と、
前記動作検出部で検出した当該操作装置の運動方向の情報を前記情報処理装置に向けて送信するとともに、前記入力受付部で前記オブジェクトを画面内に出現させるべき旨の入力を受け付けたときにはその情報を情報処理装置に向けて送信する送信部とを具備し、
前記情報処理装置が、
前記操作装置からもたらされる情報を受信する受信部と、
前記画面内において、以前に前記オブジェクトを描画していた位置から、前記受信部で受信した前記操作装置の運動方向の情報に対応する移動方向に変位した位置を、以後にオブジェクトを描画するべき位置として決定する位置決定部と、
前記受信部で受信した前記オブジェクトを前記画面内に出現させるべき旨の情報に基づき、前記位置決定部で決定した描画位置にカーソルオブジェクトをプレゼンテーション用の画像に重ねて描画し、かつ当該カーソルオブジェクトと画面の外周縁部とを結ぶ指示線オブジェクトをプレゼンテーション用の画像に重ねて描画した結果の画面を、表示装置に表示させるための信号を出力する表示制御部と
を具備することを特徴とするプレゼンテーション用システム。
【請求項２】
前記情報処理装置の位置決定部が、所定のキャリブレーション機会が発生する都度、オブジェクトを描画するべき位置を前記画面内における所定の初期位置にリセットし、
前記情報処理装置の表示制御部が、前記位置決定部によるリセット後最初に前記受信部で受信した前記オブジェクトを前記画面内に出現させるべき旨の情報に基づき、前記初期位置にカーソルオブジェクトをプレゼンテーション用の画像に重ねて描画した結果の画面を、表示装置に表示させるための信号を出力する請求項１記載のプレゼンテーション用システム。
【請求項３】
前記操作装置の入力受付部が、操作者の手指による、前記画面を見る観者に対して当該画面上のある位置を指し示すためのオブジェクトの態様を変更する旨を示す入力を受け付け、
前記操作装置の送信部が、前記入力受付部で前記オブジェクトの態様を変更する旨の入力を受け付けたときにその情報を前記情報処理装置に向けて送信し、
前記情報処理装置の表示制御部が、前記受信部で受信した前記オブジェクトの態様を変更する旨の情報に基づき、オブジェクトの態様のうちの何が変更されるのかを示すサインを、プレゼンテーション用の画像を覆い隠すメニューを表示させることなしにプレゼンテーション用の画像に重ねて描画し、さらに、それ以前に描画していたオブジェクトに替えて、当該オブジェクトから態様を変更した後のオブジェクトをプレゼンテーション用の画像に重ねて描画した結果の画面を、表示装置に表示させるための信号を出力する請求項１または２記載のプレゼンテーション用システム。
【請求項４】
前記操作装置の入力受付部が、操作者の手指による、前記画面を見る観者に対して当該画面上のある位置を指し示すためのオブジェクトを前記画面内でその位置を保ったまま出現させ続けるべき旨を示す入力を受け付け、
前記操作装置の送信部が、前記入力受付部で前記オブジェクトを前記画面内で位置を保ったまま出現させ続けるべき旨の入力を受け付けたときにその情報を前記情報処理装置に向けて送信し、
前記情報処理装置の表示制御部が、前記受信部で受信した前記オブジェクトを前記画面内で位置を保ったまま出現させ続けるべき旨の情報に基づき、それ以前に描画していたオブジェクトに替えて、当該オブジェクトとは異なる態様のオブジェクトをプレゼンテーション用の画像に重ねて描画した結果の画面を、表示装置に表示させるための信号を出力する請求項１、２または３記載のプレゼンテーション用システム。
【請求項５】
前記情報処理装置がパーソナルコンピュータ等であり、
前記操作装置の入力受付部が、前記情報処理装置側でパーソナルコンピュータ等を操作するために用いられるマウスのボタンの押下操作として扱われる入力を受け付け、
前記操作装置の送信部が、前記入力受付部で前記入力を受け付けたときにその情報を前記情報処理装置に向けて送信し、
前記情報処理装置の受信部が、前記操作装置からもたらされる前記入力の情報を受信し、当該情報処理装置側でこれを前記マウスのボタンの押下操作として扱うとともに、
前記情報処理装置の受信部が、前記操作装置からもたらされる当該操作装置の運動方向の情報を受信し、当該情報処理装置側でこれを前記マウスの運動方向として扱う請求項１、２、３または４記載のプレゼンテーションシステム。
【請求項６】
請求項１、２、３、４または５記載のシステムを構築するために用いられるものであって、
運動方向を検出する動作検出部と、
操作者の手指による、画面を見る観者に対して当該画面上のある位置を指し示すためのオブジェクトを画面内に出現させるべき旨を示す入力を受け付ける入力受付部と、
前記動作検出部で検出した運動方向の情報を情報処理装置に向けて送信するとともに、前記入力受付部で前記オブジェクトを画面内に出現させるべき旨の入力を受け付けたときにはその情報を情報処理装置に向けて送信する送信部と
を具備する操作装置。
【請求項７】
請求項１、２、３、４または５記載のシステムを構築するために用いられるものであって、コンピュータを、
操作装置からもたらされる情報を受信する受信部、
画面内において、以前に前記オブジェクトを描画していた位置から、前記受信部で受信した前記操作装置の運動方向の情報に対応する移動方向に変位した位置を、以後にオブジェクトを描画するべき位置として決定する位置決定部、並びに、
前記受信部で受信した前記オブジェクトを前記画面内に出現させるべき旨の情報に基づき、前記位置決定部で決定した描画位置にカーソルオブジェクトをプレゼンテーション用の画像に重ねて描画した結果の画面を、表示装置に表示させるための信号を出力する表示制御部
として機能させるプログラム。
【発明の詳細な説明】
【技術分野】
【０００１】
本発明は、複数の観者に向けてプレゼンテーションを行う際に用いられるプレゼンテーション用システムに関する。
【背景技術】
【０００２】
大型ディスプレイに表示され、またはプロジェクタを介して大型スクリーンに映写される画面内の所要位置を指し示す道具として、レーザポインタが使用されることが少なくない。近時では、画面描画を司るパーソナルコンピュータ等と通信してプレゼンテーション用スライドのページ送り等を指令することのできる、リモートコントローラ機能を有したレーザポインタも市場に流通している（例えば、下記特許文献を参照）。【０００３】
レーザ光の特性上、レーザポインタから出射してディスプレイまたはスクリーンの表面に投射されるレーザ光の輝点は非常に小さい。それ故、観者が画面から一旦目を離した後、再び画面に目を転じたときに、演者即ちレーザポインタの操作者が現在画面内の何処を指し示しているのかが分からなくなることがある。特に、自ら発光する類の液晶ディスプレイ等を用いている場合には、レーザ光の輝点が画面に埋没してしまい、これを即座に見つけ出すことは容易ではない。
【先行技術文献】
【特許文献】
【０００４】
【特許文献１】特開２０１０−２０４１７９号公報
【発明の概要】
【発明が解決しようとする課題】
【０００５】
本発明は、レーザポインタの不都合面を解消した、好適なプレゼンテーション用システムを提供しようとするものである。
【課題を解決するための手段】
【０００６】
本発明では、プレゼンテーション用の画像（観者に見せる画像一般をいい、静止画、動画を問わない）を描画した画面（フレーム）を表示装置（典型的には、ディスプレイや、スクリーンまたは壁面に投影を行うプロジェクタ等）を介して表示させるための信号を出力する機能を有する情報処理装置と、前記情報処理装置と通信（無線通信、有線通信を問わない）可能であり操作者が把持して操作する操作装置とを組み合わせてなるシステムであって、前記操作装置が、当該操作装置の運動方向を検出する動作検出部と、操作者の手指による、前記画面を見る観者に対して当該画面上のある位置を指し示すためのオブジェクトを画面内に出現させるべき旨を示す入力を受け付ける入力受付部と、前記動作検出部で検出した当該操作装置の運動方向の情報を前記情報処理装置に向けて送信するとともに、前記入力受付部で前記オブジェクトを画面内に出現させるべき旨の入力を受け付けたときにはその情報を情報処理装置に向けて送信する送信部とを具備し、前記情報処理装置が、前記操作装置からもたらされる情報を受信する受信部と、前記画面内において、以前に前記オブジェクトを描画していた位置から、前記受信部で受信した前記操作装置の運動方向の情報に対応する移動方向に変位した位置を、以後にオブジェクトを描画するべき位置として決定する位置決定部と、前記受信部で受信した前記オブジェクトを前記画面内に出現させるべき旨の情報に基づき、前記位置決定部で決定した描画位置にカーソルオブジェクトをプレゼンテーション用の画像に重ねて描画し、かつ当該カーソルオブジェクトと画面の外周縁部とを結ぶ指示線（直線状、曲線状を問わない）オブジェクトをプレゼンテーション用の画像に重ねて描画した結果の画面を、表示装置に表示させるための信号を出力する表示制御部とを具備することを特徴とするプレゼンテーション用システムを構成した。【０００７】
本発明によれば、演者その他の操作者が操作装置をレーザポインタの如く使用することが可能であり、仮想的な「レーザ光の輝点」となるオブジェクトをディスプレイまたはスクリーンに表示させ、またその表示位置を任意に移動させることができる。オブジェクトは情報処理装置が描画するものであり、その大きさや形状、色等はレーザポインタが出力するレーザ光のようには制限されない。【０００８】
加えて、画面内の所望の位置を直接ポイントするカーソルオブジェクトと、画面の外周縁部とを結ぶ線である指示線オブジェクトをも表示させれば、観者が画面内でカーソルオブジェクトを見つけ出すことが極めて容易となる。【０００９】
操作装置の運動方向を検出する動作検出部の要素として実装されるセンサとしては、いわゆるモーションセンサ、慣性センサと呼称されるものを挙げることができる。詳細には、二つの軸回りの角速度（モーメント）を同時に検出できる二軸ジャイロセンサ、三つの軸回りの角速度を同時に検出できる三軸ジャイロセンサ、二つの軸方向に沿った移動の加速度（力）を同時に検出できる二軸加速度センサ、三つの軸方向に沿った移動の加速度を同時に検出できる三軸加速度センサ、三軸ジャイロセンサの機能と三軸加速度センサとの機能とを兼ね備えた六軸モーションセンサ等がこれに当たる。上掲のセンサは、操作者が把持する操作装置の運動の方向及び距離を検知するのに役立つ。【００１０】
しかし、レーザポインタを模擬した操作装置の指し示す方向、いわば仮想的な「レーザ光軸」がディスプレイまたはスクリーンの表面のどの位置に当たっているのかを、恒常的に精度よく算出できるとは限らない。例えば、操作装置にジャイロセンサのみを実装している場合、操作装置の姿勢の変化即ち旋回を伴う運動は検知できるが、旋回を伴わない平行移動を検知することは難しい。よって、操作者がディスプレイまたはスクリーンに操作装置を向けて指し示そうとしている場所と、実際にオブジェクトが表示される場所とがずれてしまうことが起こり得る。無論、ディスプレイまたはスクリーンの表面に対する操作装置の相対位置及び姿勢を常に感知する高性能なセンシング手段を採用すれば問題を回避できるが、そのようなセンシング手段はコスト面で不利であり、しかもディスプレイやスクリーンの側にセンサを設置する準備作業を伴うという煩わしさもある。【００１１】
そこで、前記情報処理装置の位置決定部が、所定のキャリブレーション機会が発生する都度、オブジェクトを描画するべき位置を前記画面内における所定の初期位置にリセットし、前記情報処理装置の表示制御部が、前記位置決定部によるリセット後最初に前記受信部で受信した前記オブジェクトを前記画面内に出現させるべき旨の情報に基づき、前記初期位置にカーソルオブジェクトをプレゼンテーション用の画像に重ねて描画した結果の画面を、表示装置に表示させるための信号を出力するシステムとすることが好ましい。【００１２】
前記操作装置の入力受付部が、操作者の手指による、前記画面を見る観者に対して当該画面上のある位置を指し示すためのオブジェクトの態様を変更する旨を示す入力を受け付け、前記操作装置の送信部が、前記入力受付部で前記オブジェクトの態様を変更する旨の入力を受け付けたときにその情報を前記情報処理装置に向けて送信し、前記情報処理装置の表示制御部が、前記受信部で受信した前記オブジェクトの態様を変更する旨の情報に基づき、オブジェクトの態様のうちの何が変更されるのかを示すサイン（単独の文字列、アイコン画像または文字列とアイコン画像との組をいう）を、プレゼンテーション用の画像を覆い隠すメニュー（複数の選択肢を、複数の文字列またはアイコン画像を並べて表現したものをいう）を表示させることなしにプレゼンテーション用の画像に重ねて描画し、さらに、それ以前に描画していたオブジェクトに替えて、当該オブジェクトから態様を変更した後のオブジェクトをプレゼンテーション用の画像に重ねて描画した結果の画面を、表示装置に表示させるための信号を出力するシステムとすれば、プレゼンテーションの前準備、プレゼンテーションの最中を問わず、オブシェクトの態様の変更設定操作が簡便となる。なお、ここに言うオブジェクトの態様とは、オブジェクトの形状、寸法、模様、色彩（オブジェクトの背後にある画像を透過するものや、オブジェクト以外の部分を暗転させることでオブジェクトをスポットライト様に明示するものを含む）、オブジェクトのアニメーション、指示線の有無等を包括した概念である。【００１３】
前記操作装置の入力受付部が、操作者の手指による、前記画面を見る観者に対して当該画面上のある位置を指し示すためのオブジェクトを前記画面内でその位置を保ったまま出現させ続けるべき旨を示す入力を受け付け、前記操作装置の送信部が、前記入力受付部で前記オブジェクトを前記画面内で位置を保ったまま出現させ続けるべき旨の入力を受け付けたときにその情報を前記情報処理装置に向けて送信し、前記情報処理装置の表示制御部が、前記受信部で受信した前記オブジェクトを前記画面内で位置を保ったまま出現させ続けるべき旨の情報に基づき、それ以前に描画していたオブジェクトに替えて、当該オブジェクトとは異なる態様のオブジェクトをプレゼンテーション用の画像に重ねて描画した結果の画面を、表示装置に表示させるための信号を出力するシステムとすれば、操作装置を空中で不動に固定しておかなくとも、操作者の必要に応じて、画面内でオブジェクトを特定の位置に表示させ続けておくことが可能となる。その上、観者の注目を集めるような態様のオブジェクトを表示させ続けておくことで、プレゼンテーションの効果を一層高めることにも寄与し得る。【００１４】
前記情報処理装置がパーソナルコンピュータ等である場合、前記操作装置をこのパーソナルコンピュータ等を操作するためのマウスまたはこれに類するポインティングデバイスとして利用することが可能である。この場合、前記操作装置の入力受付部が、前記情報処理装置側でパーソナルコンピュータ等を操作するために用いられるマウスのボタンの押下操作として扱われる入力を受け付け、前記操作装置の送信部が、前記入力受付部で前記入力を受け付けたときにその情報を前記情報処理装置に向けて送信する。前記情報処理装置の受信部は、前記操作装置からもたらされる前記入力の情報を受信する。当該情報処理装置側では、これを前記マウスのボタンの押下操作として扱う。並びに、前記情報処理装置の受信部は、前記操作装置からもたらされる当該操作装置の運動方向の情報を受信する。当該情報処理装置側では、これを前記マウスの運動方向として扱う。
【発明の効果】
【００１５】
本発明によれば、レーザポインタの不都合面を解消した、好適なプレゼンテーション用システムを実現することができる。
【図面の簡単な説明】
【００１６】
【図１】本発明の一実施形態のプレゼンテーション用システムの全体構成を示す図。
【図２】同実施形態における情報処理装置が有するハードウェア資源を示す図。
【図３】同実施形態における情報処理装置の機能ブロック図。
【図４】同実施形態における操作装置が有するハードウェア資源を示す図。
【図５】同実施形態における操作装置の機能ブロック図。
【図６】同実施形態における操作装置に実装される操作入力デバイスの配置例を示す図。
【図７】同実施形態における情報処理装置が実行する処理の手順例を示すフローチャート。
【図８】同実施形態における情報処理装置が実行する処理の手順例を示すフローチャート。
【図９】同実施形態において画面内に表示されるオブジェクトを例示する図。
【図１０】同実施形態において画面内に表示されるオブジェクトを例示する図。
【図１１】同実施形態において画面内に表示されるオブジェクトを例示する図。
【図１２】同実施形態において画面内に表示されるオブジェクトを例示する図。
【図１３】同実施形態において画面内に表示されるオブジェクトを例示する図。
【図１４】同実施形態において画面内に表示されるオブジェクトを例示する図。
【図１５】同実施形態において画面内に表示されるオブジェクトを例示する図。
【図１６】同実施形態においてマルチモニタ、ウェイト時間等を設定するための操作を説明する図。
【図１７】同実施形態において画面内に表示されるオブジェクトを例示する図。
【図１８】同実施形態において画面内に表示されるオブジェクトを例示する図。
【図１９】同実施形態における操作装置に実装される操作入力デバイスの配置例を示す図。
【図２０】同実施形態において画面内に複数のスライドまたはページが一覧表示された状態を例示する図。
【図２１】同実施形態における操作装置の操作入力デバイスと、情報処理装置に与えられる操作の指令との対応関係の例を示す図。
【発明を実施するための形態】
【００１７】
本発明の一実施形態を、図面を参照して説明する。
【００１８】
＜１．ハードウェア資源＞
本実施形態のプレゼンテーション用システムは、会議や講演会、講義等の場で使用されることを想定したものであり、図１に示すように、プレゼンテーション用の画像７を描画した画面６を表示装置を介して表示させるための信号を出力する機能を有する情報処理装置１と、操作者が把持して操作する情報送信可能な操作装置２と、情報処理装置１に接続され操作装置２から送信される情報を受信して情報処理装置１に提供する受信器３とを備えて構成される。
【００１９】
表示装置は、図示例では、スクリーン５（または、壁面）に画面６を投影するプロジェクタ４である。但し、表示装置はプロジェクタ４には限定されず、液晶ディスプレイやその他のものであっても構わない。
【００２０】
図２に示すように、情報処理装置１は、汎用的なパーソナルコンピュータやワークステーション、携帯情報端末、携帯電話端末、ビデオゲーム機等の如く、ＣＰＵ（Ｃｅｎｔｒａｌ  Ｐｒｏｃｅｓｓｉｎｇ  Ｕｎｉｔ）１ａ、メインメモリ１ｂ、補助記憶デバイス１ｃ、操作入力デバイス１ｄ、オーディオコーデック１ｅ、ビデオコーデック１ｆ、通信インタフェース１ｇ等のハードウェア資源を備え、これらがコントローラ（システムコントローラ、Ｉ／Ｏコントローラ等）１ｈにより制御されて連携動作するものである。
【００２１】
補助記憶デバイス１ｃは、ハードディスクドライブ、フラッシュメモリ、光学ディスクドライブ、その他である。操作入力デバイス１ｄは、手指で操作可能な押下ボタンやキーボード、マウス、タッチパネル、トラックパッド等である。オーディオコーデック１ｅは、符号化されている音声データを復号化してスピーカから音声出力したり、マイクを介して収音した音声を符号化したりする。
【００２２】
ビデオコーデック１ｆは、ＣＰＵ１ａより受けた描画指示をもとに表示させるべき画面６を生成しその画面信号をディスプレイまたはプロジェクタ４に向けて送出するＧＰＵ（Ｇｒａｐｈｉｃｓ  Ｐｒｏｃｅｓｓｉｎｇ  Ｕｎｉｔ）、画面６や画像７のデータを一時的に格納しておくビデオメモリ等を要素とする。オーディオコーデック１ｅ、ビデオコーデック１ｆはそれぞれ、ハードウェアでなくソフトウェアとして実装することも可能である。
【００２３】
通信インタフェース１ｇは、電気通信回線を経由した情報通信を行うためのデバイスであり、ＮＩＣ（Ｎｅｔｗｏｒｋ  Ｉｎｔｅｒｆａｃｅ  Ｃａｒｄ）や無線ＬＡＮ（Ｌｏｃａｌ  Ａｒｅａ  Ｎｅｔｗｏｒｋ）デバイス、ｂｌｕｅｔｏｏｔｈ（登録商標）デバイス、携帯電話網に接続するための無線デバイス等に代表される。これら以外に、ＵＳＢ（Ｕｎｉｖｅｒｓａｌ  Ｓｅｒｉａｌ  Ｂｕｓ）、ＩＥＥＥ１３９４等のインタフェースを採用することもできる。
【００２４】
ＣＰＵ１ａによって実行されるべきプログラムは補助記憶デバイス１ｃに格納されており、プログラムの実行の際には補助記憶デバイス１ｃからメインメモリ１ｂに読み込まれ、ＣＰＵ１ａによって解読される。本実施形態では、既知のＯＳ（Ｏｐｅｒａｔｉｎｇ  Ｓｙｓｔｅｍ）プログラムやこれに付帯する各種デバイスドライバプログラムが予めインストールされ、他のプログラムによる上記ハードウェア資源の利用を仲介する。
【００２５】
さらに、アプリケーションプログラムとして、プレゼンテーションに用いるプログラム、即ちスライドやページ等を表示したり、画像７及び／または音声を再生したり、録画／録音したりするためのプログラムが予めインストールされている。アプリケーションプログラムは、必要に応じてバージョンアップしてもよいし、追加でインストールしたりアンインストールしたりしてもよい。
【００２６】
操作装置２は、電池駆動のリモートコントローラ型のポインティングデバイスである。図４及び図６に示すように、本実施形態の操作装置２は、操作者が把持して操作することのできる本体に、操作入力デバイス２ａ、モーションセンサ２ｂ、通信インタフェース２ｃ及びこれらを制御する制御回路２ｄ等を収めたものである。
【００２７】
操作装置２の操作入力デバイス２ａは、手指で操作可能な複数の押下ボタン２ａ１、２ａ２、２ａ３、２ａ４、２ａ５、２ａ６、２ａ７、２ａ８である。図６に、操作装置２の押下ボタン２ａ１、２ａ２、２ａ３、２ａ４、２ａ５、２ａ６、２ａ７、２ａ８の配置例を示す。
【００２８】
表示ボタン２ａ１は、レーザポインタにおけるレーザ光照射ボタンを模したものであり、操作者がこの表示ボタン２ａ１を押下操作している間、ディスプレイに表示またはプロジェクタ４がスクリーン５に投影している画面６内に、画面６上のある位置を指し示すためのオブジェクト８が表示される。オブジェクト８の描画は、情報処理装置１が司る。このオブジェクト８は、レーザポインタを使用してプレゼンテーションを行う際における、ディスプレイまたはスクリーン５の表面に照射されたレーザ光の輝点に相当する。
【００２９】
ページ送りボタン２ａ２及びページ戻しボタン２ａ３は、主として、情報処理装置１上で実行されるアプリケーションプログラムの機能を制御する目的で押下操作される。ページ戻しボタン２ａ３に対する操作は、ページ送りボタン２ａ２に対する操作とは逆の意味を持つ。例えば、プログラムが複数のスライドまたはページを順次表示するプレゼンテーションソフトである場合、ページ送りボタン２ａ２に対する操作はスライドまたはページを次のものに切り替える旨を意味し、ページ戻しボタン２ａ３に対する操作はスライドまたはページを前のものに戻す旨を意味する。プログラムが画像７や音声を再生する再生ソフトである場合、ページ送りボタン２ａ２に対する操作は画像７や音声を再生する旨を意味し、ページ戻しボタン２ａ３に対する操作は画像７や音声の再生を停止、または巻き戻す旨を意味する。プログラムが画像７や音声を記録する録画／録音ソフトである場合、ページ送りボタン２ａ２に対する操作は録画または録音する旨を意味し、ページ戻しボタン２ａ３に対する操作は録画または録音を停止する旨を意味する。プレゼンテーションの場では、表示ボタン２ａ１及びページ送りボタン２ａ２の操作頻度が比較的高く、ページ戻しボタン２ａ３の操作頻度はそれよりも低いと考えられる。
【００３０】
暗転ボタン２ａ４もまた、情報処理装置１上で実行されるアプリケーションプログラムの機能を制御する目的で押下操作される。例えば、プログラムが複数のスライドまたはページを順次表示するプレゼンテーションソフトである場合、暗転ボタン２ａ４に対する操作は画面６を一旦暗転させてスライドまたはページを見せなくする、あるいは逆に暗転させていた画面６を元通りに戻してスライドまたはページを再び見せる旨を意味する。暗転ボタン２ａ４の機能は、操作装置２を操作する演者自身が観者の注意を引きたいようなときに便利である。
【００３１】
因みに、情報処理装置１が汎用的なＯＳをインストールしたパーソナルコンピュータ等であるとすると、ページ送りボタン２ａ２の押下は、（ワイヤレス）マウスの主ボタンのクリック、または（ワイヤレス）キーボードの右方向カーソルキー等の押下と同義となる。ページ戻しボタン２ａ３の押下は、マウスの副ボタンのクリック、またはキーボードの左方向カーソルキー等の押下と同義となる。さらに、ページ送りボタン２ａ２の長押しは、キーボードのＦ５キー等の押下（または、キーボードのＳｈｉｆｔキーとＦ５キーとの同時押下等。既知のプレゼンテーション用アプリケーションプログラムにおいては、複数のスライドまたはページを順次表示するプレゼンテーションの開始の命令）と同義となり、ページ戻しボタン２ａ３の長押しは、キーボードのＥｓｃキー等の押下（既知のプレゼンテーション用アプリケーションプログラムにおいては、プレゼンテーションの終了の命令）と同義となる。暗転ボタン２ａ４の押下は、キーボードのＢキー等の押下と同義となる。
【００３２】
図１に示しているように、操作装置２の設定ボタン２ａ５、２ａ６、２ａ７、２ａ８は、通常は蓋によって覆い隠されている。図６に示しているように、その蓋をスライドさせ、または取り外せば、設定ボタン２ａ５、２ａ６、２ａ７、２ａ８を手指で操作可能に露出させることができる。設定ボタン２ａ５、２ａ６、２ａ７、２ａ８は、画面６内に出現させるオブジェクト８の形状、寸法、色彩、指示線の有無といったオブジェクト８の態様を変更する目的で押下操作される。本実施形態における操作装置２は、設定ボタン２ａ５、２ａ６、２ａ７、２ａ８を複数有している。即ち、オブジェクト８の形状を変える形ボタン２ａ５、オブジェクト８の寸法を変える大小（または、サイズ）ボタン２ａ６、オブジェクト８の色相や色の濃度を変える色ボタン２ａ７、オブジェクト８の指示線の有無を切り替える指示線ボタン２ａ８である。
【００３３】
なお、図６に示したボタン２ａ１、２ａ２、２ａ３、２ａ４、２ａ５、２ａ６、２ａ７、２ａ８の配置はあくまでも一例に過ぎず、ボタン配置は任意に変更してよい。また、蓋を設けず、設定ボタン２ａ５、２ａ６、２ａ７、２ａ８を常に表出させておいても構わない。
【００３４】
モーションセンサ２ｂは、操作者が把持する操作装置２の運動の方向及び距離を検知するためのものである。本実施形態では、モーションセンサ２ｂとしてジャイロセンサを実装しており、少なくとも、操作装置２本体の垂直軸回りの運動である左右方向に首を振るパン動作の角速度、及び水平軸回りの運動である上下方向に首を振るチルト動作の角速度を、それぞれ検出することが可能である。尤も、モーションセンサ２ｂとして、加速度センサや、ジャイロセンサと加速度センサとを兼ねたセンサ等を採用しても構わない。
【００３５】
通信インタフェース２ｃは、本実施形態では、受信器３を介して情報処理装置１と情報通信を行うためのデバイスであって、無線信号を送出する無線トランシーバを主体とする。但し、受信器３を介さず、操作装置２から直接に情報処理装置１に情報を送信する態様をとることを妨げない。具体的には、情報処理装置１に実装しているＵＳＢ等のインタフェースに有線で操作装置２を接続したり、情報処理装置１に実装している無線ＬＡＮデバイス、ｂｌｕｅｔｏｏｔｈデバイス等を利用して無線で操作装置２を接続したりすることが考えられる。この場合、操作装置２には、情報処理装置１と通信するためのインタフェース２ｃとして、ＵＳＢインタフェース、無線ＬＡＮデバイス、ｂｌｕｅｔｏｏｔｈデバイス等を実装しておく。
【００３６】
操作入力デバイス２ａ、モーションセンサ２ｂ、通信インタフェース２ｃは、制御回路２ｄに電気的に接続している。制御回路２ｄは、操作入力デバイス２ａたる各ボタン２ａ１、２ａ２、２ａ３、２ａ４、２ａ５、２ａ６、２ａ７、２ａ８が押下操作されたとき、何れのボタンが押下操作されているのかを示す情報を、通信インタフェース２ｃを介して送信する。並びに、モーションセンサ２ｂによって検出した操作装置２の運動の方向及び量（加速度、速度または距離）の情報を、通信インタフェース２ｃを介して送信する。
【００３７】
受信器３は、操作装置２から情報処理装置１に向けた情報の伝送を仲立ちする中継手段であり、操作装置２が発信した無線信号を受信する無線トランシーバを主体とする。受信器３は、情報処理装置１の通信インタフェース１ｇ、特にＵＳＢ等のインタフェースに接続し、操作装置２から無線信号の形でもたらされた情報を復調して情報処理装置１に提供する、いわゆるＵＳＢドングルである。この受信器３は、本実施形態のプレゼンテーション用システムを構成するべく情報処理装置１にインストールされるプログラムを記憶している記録媒体、いわゆるＵＳＢメモリでもある。但し、操作装置２と情報処理装置１とが直接に情報を授受する態様をとる場合には、中継手段としての受信器３は不要となる。
【００３８】
＜２．機能ブロック＞
操作者が把持して操作する操作装置２は、その制御回路２ｄにより、図５に示す動作検出部２０１、入力受付部２０２及び送信部２０３としての機能を発揮する。
【００３９】
動作検出部２０１は、モーションセンサ２ｂを利用して、操作装置２の運動の方向及び量を検出する。本実施形態では、垂直軸回りのパン動作の角速度、及び水平軸回りのチルト動作の角速度を検出する。
【００４０】
入力受付部２０２は、操作者の手指により操作入力デバイスに加えられる操作を受け付ける。本実施形態では、表示ボタン２ａ１、ページ送りボタン２ａ２、ページ戻しボタン２ａ３、暗転ボタン２ａ４、形ボタン２ａ５、大小ボタン２ａ６、色ボタン２ａ７及び指示線ボタン２ａ８の各々に加えられる押下操作をそれぞれ受け付ける。
【００４１】
送信部２０３は、通信インタフェース２ｃを利用して、動作検出部２０１で検出した操作装置２の運動の方向及び量の情報を、情報処理装置１に向けて送信する。並びに、入力受付部２０２に加えられた操作の内容、即ち表示ボタン２ａ１、ページ送りボタン２ａ２、ページ戻しボタン２ａ３、暗転ボタン２ａ４、形ボタン２ａ５、大小ボタン２ａ６、色ボタン２ａ７または指示線ボタン２ａ８が押下操作されたときに、何れのボタンが押下されているのかを示す情報を、情報処理装置１に向けて送信する。
【００４２】
なお、表示ボタン２ａ１が押下されていない期間における操作装置２の運動の方向及び量の情報は、情報処理装置１に送信しないこととしてもよい。この場合、表示ボタン２ａ１が押下されている期間における操作装置２の運動の方向及び量の情報のみが、情報処理装置１に送信される。
【００４３】
他方、情報処理装置１には、受信器３に格納されている、本実施形態のプレゼンテーション用システムを構成するためのプログラムが（例えば、ＯＳのオートラン機能により自動的に）インストールされる。但し、受信器３を介さず、操作装置２から直接に情報処理装置１に情報を送信する態様をとる場合にはこの限りでなく、別の記録媒体からインストール、あるいは電気通信回線経由でダウンロードインストールされる。しかして、情報処理装置１は、インストールされたプログラムに従い、図３に示す受信部１０１、位置決定部１０２及び表示制御部１０３としての機能を発揮する。
【００４４】
受信部１０１は、操作装置２からもたらされる上述の情報を、受信器３を介して受信する。但し、既に述べている通り、操作装置２からもたらされる情報を、受信器３を解することなく直接に受信する態様をとることも可能であり、その場合には、ＵＳＢ、無線ＬＡＮデバイス、ｂｌｕｅｔｏｏｔｈデバイスといった通信インタフェース１ｇを利用して上記の情報を受信することになる。
【００４５】
位置決定部１０２は、情報処理装置１がディスプレイに表示またはプロジェクタ４に投影させる画面６内において、当該画面６上のある位置を指し示すためのオブジェクト８を描画するべき位置を決定する。基本的に、画面６内でのオブジェクト８の描画位置の座標は、受信部１０１で受信した、操作装置２の運動の方向及び量の情報に応じて演算する。即ち、以前にオブジェクト８を描画していた位置の座標から、操作装置２の運動の方向に対応した移動方向（上下及び／または左右）に、操作装置２の運動の量に対応した距離（ピクセル数）だけ変位させた座標を、以後にオブジェクト８を描画するべき位置として算定する。
【００４６】
表示制御部１０３は、受信部１０１で受信した、操作装置２が受け付けた入力操作の内容に応じた描画処理を行う。即ち、ビデオコーデック１ｆの機能により、画面６内にオブジェクト８を描画した結果の画面６をディスプレイに表示またはプロジェクタ４に投影させるための信号を、ディスプレイまたはプロジェクタ４に向けて出力する。典型的には、操作者が操作装置２の表示ボタン２ａ１を押下している間、位置決定部１０２で決定した位置座標に、画面６上のある位置を指し示すためのオブジェクト８を描画する。
【００４７】
＜３．プレゼンテーション中の基本機能＞
以降、本実施形態のプレゼンテーション用システムの動作を述べる。プレゼンテーションにおいて、演者たる操作者は、情報処理装置１上で、観者に見せるプレゼンテーション用の画像７を画面６に表示させるためのアプリケーションプログラムを起動する。アプリケーションプログラムは、プレゼンテーションソフト、動画や音声の再生ソフト、録画／録音ソフト等である。
【００４８】
操作者は、このようなアプリケーションプログラムの機能を制御する目的で、操作装置２のページ送りボタン２ａ２、ページ戻しボタン２ａ３、暗転ボタン２ａ４等を操作する。ページ送りボタン２ａ２、ページ戻しボタン２ａ３または暗転ボタン２ａ４が押下操作されているとき、操作装置２の送信部２０３は当該ボタンが押下されている旨の情報を送信し、情報処理装置１の受信部１０１はその情報を受信する。
【００４９】
そして、情報処理装置１は、ページ送りボタン２ａ２、ページ戻しボタン２ａ３または暗転ボタン２ａ４が押下されたことに対応した処理、例えば、次のスライドの表示や動画の再生、前のスライドの表示や動画再生の一時停止、画面６の暗転または暗転からの復帰等を実行する。情報処理装置１の表示制御部１０３は、画面６内にプレゼンテーション用のスライドや映像等を描画した結果の画面信号をディスプレイまたはプロジェクタ４に向けて送出する。ディスプレイまたはプロジェクタ４は、情報処理装置１からもたらされる画面信号を受け取り、画面６の表示出力を行う。
【００５０】
操作者は、観者の目を画面６内の所望の位置に向けたいような場合に、表示ボタン２ａ１を操作する。表示ボタン２ａ１が押下操作されているとき、操作装置２の送信部２０３は表示ボタン２ａ１が押下されている旨の情報を送信し、情報処理装置１の受信部１０１はその情報を受信する。このとき、情報処理装置１は、図１等に示すように、観者に対して画面６上のある位置を指し示すためのオブジェクト８であって、ＯＳの機能として表示される一般的なマウスカーソル（または、マウスポインタ）０とは異なる態様のオブジェクト８を描画する。
【００５１】
原則として、オブジェクト８は、位置決定部１０２で決定した描画位置、換言すれば操作者が指し示そうとしている位置に表示されるカーソルオブジェクト８１と、当該カーソルオブジェクト８１の位置と画面６の外周縁部とを結ぶ指示線オブジェクト８２とで形成されている。カーソルオブジェクト８１及び指示線オブジェクト８２の先端の位置は、操作者が把持している操作装置２本体の運動に追従するように変位させる。表示制御部１０３は、カーソルオブジェクト８１及び／または指示線オブジェクト８２を、アプリケーションプログラムによって表示されるプレゼンテーション用のスライドや映像等に重ねて描画し、その結果の画面信号を、ディスプレイまたはプロジェクタ４に向けて送出する。
【００５２】
後述するように、オブジェクト８の態様、即ちオブジェクト８の形状、寸法、模様、色彩（オブジェクト８の背後にある画像７を透過する透過色や、オブジェクト８以外の部分を暗転させることでオブジェクト８をスポットライト様に明示するものを含む）、オブジェクト８のアニメーション、指示線の有無、指示線が画面６の外周縁部の何処を基端とするか等は、操作者の任意に変更することが可能である。
【００５３】
図７に、情報処理装置１がオブジェクト８の表示に際して実施する手順の例を示す。情報処理装置１は、操作者の手指によって操作装置２の表示ボタン２ａ１が押下されていることを条件として（ステップＳ１）、画面６内にオブジェクト８を描画して出現させる（ステップＳ２）。カーソルオブジェクト８１の画面６内での描画位置座標は、ＣＰＵ１ａのレジスタまたはメインメモリ１ｂに記憶保持しており、ステップＳ２にてその位置座標にカーソルオブジェクト８１を描画し、かつ当該位置座標と画面６の外周縁部とを結ぶ指示線オブジェクト８２を描画する。指示線の基端の座標は、図１３（Ｏ）に示すように画面６の縁辺（下端辺、左端辺、右端辺または上端辺）上に定めてもよいし、図１３（Ｐ）に示すように画面６の縁辺よりもさらに外方（下方、左方、右方または上方）にあたる位置、つまりは画面６として描画されない位置の座標に定めてもよい。あるいは、指示線の基端の座標を、画面６の四隅の何れかとすることも考えられる。
【００５４】
本実施形態では、指示線オブジェクト８２の描画色はカーソルオブジェクト８１の描画色に揃えることを想定しているが、指示線オブジェクト８２をカーソルオブジェクト８１とは異なる色に描画することを妨げるものではない。
【００５５】
あるいは、カーソルオブジェクト８１及び／または指示線オブジェクト８２を描画するにあたり、プレゼンテーション用画像７におけるカーソルオブジェクト８１及び／または指示線オブジェクト８２が重なる部位の色（画素値）、いわば背景色をメインメモリ１ｂ、補助記憶デバイス１ｃまたはビデオメモリから読み出して知得し、カーソルオブジェクト８１及び／または指示線オブジェクト８２その背景色に埋没しないような色（操作者や観者にとって見えやすい色、明度、彩度または色相の面で背景色とは相対する色等）に描画するようにしてもよい。
【００５６】
逆に、操作装置２の表示ボタン２ａ１が押下されていないとき、または押下されていた表示ボタン２ａ１から手指が離れて押下されなくなったとき（ステップＳ４）には、オブジェクト８を描画せず画面６内に出現させない、つまりはオブジェクト８を消去する（このとき、ＯＳのマウスカーソル０が替わりに表示されることがある）。表示ボタン２ａ１を押下している間だけオブジェクト８が出現するという点は、正にレーザポインタの挙動に近い。
【００５７】
描画位置座標は、操作装置２の運動の方向及び運動の量の情報に応じて随時更新する（ステップＳ３）。本実施形態では、情報処理装置１が、操作装置２のパン動作の方向及び量を表す角速度と、チルト動作の方向及び量を表す角速度とをそれぞれ受信している。従って、ステップＳ３では、過去の位置座標（ｘ，ｙ）に、操作装置２のパン動作の角速度に比例した変位量Δｘ及びチルト動作の角速度に比例した変位量Δｙを加味して新たな位置座標（ｘ＋Δｘ，ｙ＋Δｙ）を求め、これを更新後の位置座標としてＣＰＵ１ａのレジスタまたはメインメモリ１ｂに記憶保持する。
【００５８】
図７のフローチャートでは、描画位置座標の更新（ステップＳ３）を、操作装置２の表示ボタン２ａ１が押下されている期間内にのみ行うこととしている。だが、表示ボタン２ａ１が押下されていない期間においても操作装置２が運動の方向及び量の情報を送信してくる場合には、表示ボタン２ａ１が押下されていない期間内であっても継続して描画位置座標の更新を行うこととしてもよい。
【００５９】
以上のステップＳ１ないしＳ４の反復を通じて、カーソルオブジェクト８１及び指示線オブジェクト８２の画面６内での出現位置が操作装置２の運動に応じて変位する基本機能が具現される。操作者が表示ボタン２ａ１を押しっぱなしにすれば、オブジェクト８が操作装置２の運動に追従して画面６内を移動するという、あたかもレーザポインタを使用してレーザ光をディスプレイまたはスクリーン５の表面に照射しているかのような操作感を得ることができる。
【００６０】
ところで、画面６内の特定の位置に観者の注目を集め続けておきたい等、画面６内の特定の位置にオブジェクト８を不動に表示させたいようなことがある。そのように希望する操作者は、観者に対して画面６上のある位置を指し示すためのオブジェクト８を画面６内で位置を保ったまま出現させ続けるべき旨を示す入力を行う。例えば、操作装置２の表示ボタン２ａ１を短い時間内に複数回断続的に押下操作（ダブルクリック、トリプルクリック等）する。このような操作が行われた旨の情報は、操作装置２の送信部２０３から情報処理装置１の受信部１０１へと送受信される。
【００６１】
操作者の手指によって上記の如き操作が行われたときには（ステップＳ５）、そのときにＣＰＵ１ａのレジスタまたはメインメモリ１ｂに記憶保持している描画位置座標にオブジェクト８を描画して出現させ、かつ当該位置座標にオブジェクト８を描画し続ける（ステップＳ６）。ステップＳ６により、操作者が把持している操作装置２の本体をいくら動かしても、画面６内でカーソルオブジェクト８１や指示線オブジェクト８２が変位することはなくなる。
【００６２】
また、ステップＳ６にて表示させる位置が固定のオブジェクト８の態様は、ステップＳ２にて表示させる通常時のオブジェクト８の態様とは相異させることが望ましい。具体的には、通常時（ステップＳ２）のオブジェクト８は明滅等のアニメーションをしないが、固定時（ステップＳ６）のオブジェクト８は明滅等のアニメーションをする、というようにである。
【００６３】
オブジェクト８の固定中にオブジェクト８の固定を解除する旨の操作、例えば操作装置２の表示ボタン２ａ１の再押下等がなされ、その旨の情報を受信した暁には（ステップＳ７）、オブジェクト８の固定を解除し、オブジェクト８の描画を停止して画面６内からオブジェクト８を消去する。
【００６４】
＜４．オブジェクトの描画位置と操作装置の向きとのキャリブレーション＞
本実施形態における操作装置２には、モーションセンサ２ｂとして、比較的安価なジャイロセンサを実装している。ジャイロセンサは、操作装置２の姿勢の変化即ち軸回りの旋回を伴う運動は検知できるが、操作装置２の平行移動を検知することは難しい。ディスプレイまたはスクリーン５の表面に対する、操作装置２の相対位置及び姿勢を常に感知しているわけではないため、操作者がディスプレイまたはスクリーン５に操作装置２を向けて指し示そうとしている場所と、実際にオブジェクト８が表示される場所とが次第にずれていってしまうことはどうしても避けられない。
【００６５】
そこで、情報処理装置１の位置決定部１０２は、所定のキャリブレーション機会が発生する都度、オブジェクト８を描画するべき位置を、画面６内における所定の初期位置にリセットする。キャリブレーション機会の例としては、表示ボタン２ａ１または各ボタン２ａ１、２ａ２、２ａ３、２ａ４、２ａ５、２ａ６、２ａ７、２ａ８が押下操作されない期間の長さが規定のウェイト時間を超えたときや、プレゼンテーションソフトウェアの実行中におけるスライドまたはページの切り替え指令がなされたとき、即ちページ送りボタン２ａ２やページ戻しボタン２ａ３、または暗転ボタン２ａ４が押下操作されたとき、あるいは、オブジェクト８を描画するべき位置を初期位置にリセットする旨を明示する入力（表示ボタン２ａ１のトリプルクリック等）がなされたとき等を挙げることができる。
【００６６】
あるいは、プレゼンテーションに用いるプログラムが情報処理装置１上でバックグラウンド（画面６に表立っていない状態）に切り換えられた、プレゼンテーションに用いるプログラムが終了したことを必須条件とし、当該状況の下で表示ボタン２ａ１または各ボタン２ａ１、２ａ２、２ａ３、２ａ４、２ａ５、２ａ６、２ａ７、２ａ８が押下操作されない期間の長さが規定のウェイト時間を超えたときや、ページ送りボタン２ａ２やページ戻しボタン２ａ３、または暗転ボタン２ａ４が押下操作されたとき等に、キャリブレーション機会が訪れたものとすることができる。
【００６７】
情報処理装置１は、キャリブレーション機会が発生した場合（ステップＳ８）、即ち操作装置２の表示ボタン２ａ１が押下された旨の情報を受信することなくウェイト時間が経過した場合や、ページ送りボタン２ａ２、ページ戻しボタン２ａ３または暗転ボタン２ａ４が押下された旨の情報を受信した場合等に、ＣＰＵ１ａのレジスタまたはメインメモリ１ｂに記憶保持しているオブジェクト８を描画すべき位置の座標を、予め定められた初期位置に対応した座標に書き換える（ステップＳ９）。初期位置は、画面６の上下左右の中央、または四隅の何れかに設定することが好適である。以降のオブジェクト８の描画位置座標の更新（ステップＳ３）は、初期位置の座標を起点として行われることとなる。
【００６８】
キャリブレーション機会の発生後、操作者は、把持している操作装置２を、ディスプレイが表示しまたはプロジェクタ４がスクリーン５に投影している画面６内の初期位置、つまりは画面６の中央等に差し向けた状態で、表示ボタン２ａ１を押下すればよい。さすれば、操作者が操作装置２によって狙いを付けている、操作者の意図する指示場所に、オブジェクト８が表示されるようになる。このようにして、操作装置２の向きとオブジェクト８の出現位置とのキャリブレーションが簡便に実現される。
【００６９】
＜５．オブジェクトの変更設定＞
図９ないし図１２に、情報処理装置１の表示制御部１０３が画面６に描画して表示させることができるオブジェクト８の態様を例示している。カーソルオブジェクト８１の形状としては、レーザ光の輝点の如き円形（Ａ）や四角形（Ｂ）、中空の円環形状（Ｃ）、中空の四角枠状（図示せず）、星形（Ｄ）、横棒（Ｅ）、縦棒（Ｆ）、矢印（Ｇ、左上向きまたは右上向き）、指の形（図示せず、左上向きまたは右上向き）等を挙げることができる。特に、円環形状（Ｃ）は、ちょうど水面に水滴が落ちたときに生じて拡がる波紋のようなアニメーションをするものとすることができる。
【００７０】
カーソルオブジェクト８１の寸法は、拡大／縮小する（Ｍ、Ｎ）ことが可能である。特に、中空の形状のカーソルオブジェクト８１の寸法の拡縮では、図１４（Ｑ、Ｒ）に示すように、そのオブジェクト８１の外郭線の太さがオブジェクト８１全体の寸法に応じて均等に拡大するように構成することができる。この場合において、オブジェクト８１全体の寸法が一定以上大きくなったならば、オブジェクト８１を拡大しても外郭線の太さはそれ以上太くならないようにすることも好ましい。
【００７１】
また、指示線オブジェクト８２の有無を切り替える（Ｌ）こともできる。操作者は、カーソルオブジェクト８１の形状や寸法等を任意に選択できるので、例えば、プレゼンテーション用の画像７内に記述されている語句や文等を円環形状または四角枠状のカーソルオブジェクト８１で囲うようにして指し示し、観者に対して強調するといったことが可能になる。
【００７２】
カーソルオブジェクト８１や指示線オブジェクト８２の色は、赤色、青色、緑色、黄色、水色、紫色、桃色、黒色等、様々である。オブジェクト８の色は、当該オブジェクト８を重ねて描画した際の背景となるプレゼンテーション用の画像７を透過させない不透明であってもよく、プレゼンテーション用の画像７を透過させる半透明（アルファチャンネル）であってもよい。さらには、オブジェクト８以外の部分を暗転させオブジェクト８をスポットライト様に明示する態様（Ｈ）をとることもできる。
【００７３】
カーソルオブジェクト８１の外縁、指示線オブジェクト８２の外縁にはそれぞれ、それらオブジェクト８自体の色とは異なる色（例えば、白色または黒色）の縁取りを付することが好ましい。
【００７４】
図１１に示すように、指示線の基端は、画面６の下端部（Ｉ）、左端部（Ｋ）または右端部（Ｊ）の何れかに設定することができる。無論、画面６の上端部に設定しても構わない。
【００７５】
オブジェクト８の態様の一種として、指示線オブジェクト８２の態様、即ち指示線の色や太さ、形態等を任意に変更できるようにすることも考えられる。
【００７６】
図８に、情報処理装置１がオブジェクト８の変更設定に際して実施する手順の例を示す。画面６に表示されるオブジェクト８の態様を変更しようとする操作者は、その旨を示す操作入力を操作装置２に対して行う。具体的には、オブジェクト８の形状を変更したい場合には形ボタン２ａ５を、オブジェクト８の形状を変更したい場合には大小ボタン２ａ６を、オブジェクト８の色を変更したい場合には色ボタン２ａ７を、指示線の有無または指示線の基端の位置を変更したい場合には指示線ボタン２ａ８を押下する。これらの押下操作を受け付けた操作装置２の送信部２０３は、何れのボタンが押下されたかを示す情報を、情報処理装置１に向けて送信する。
【００７７】
情報処理装置１の受信部１０１で上記の情報を受信したときには（ステップＳ１０）、オブジェクト８の変更モードへと移行する。変更モードでは、操作者が押下操作したボタンの種類に応じて、図１２に示すように、オブジェクト８の形状、寸法、色または指示線の何れが変更されるのかを示すサイン９を、プレゼンテーション用の画像７を消去することなく、プレゼンテーション用の画像７に重ねて描画する（ステップＳ１１）。図１２は、ステップＳ１０にて操作者が大小ボタン２ａ６を押下したことによりオブジェクト８の寸法が変更される状況を示しており、サイン９として「大小」（または、「サイズ」）という文字列を画面６内に表示させ、操作者が視認できるようにしている。ステップＳ１０にて操作者が形ボタン２ａ５、色ボタン２ａ７または指示線ボタン２ａ８を押下した場合には、オブジェクト８の形状、色彩または指示線が変更されることから、それに対応したサイン９として「形」、「色」または「指示線」という文字列を画面６内に表示させる。なお、サインとして、文字列９とともに、または文字列９に替えて、アイコン画像等を描画しても構わない。
【００７８】
変更モード中は、操作装置２のページ送りボタン２ａ２、ページ戻しボタン２ａ３または設定ボタン２ａ５、２ａ６、２ａ７、２ａ８の何れかを押下操作することで、オブジェクト８の態様を変更することができる。例えば、オブジェクト８の寸法が変更される状況では、ページ送りボタン２ａ２を押下すると、その押下回数または押下している時間の長さに比例してカーソルオブジェクト８１が徐々に大きくなる。カーソルオブジェクト８１の寸法が設定可能な最大寸法となった以後は、ページ送りボタン２ａ２を押下してもそれ以上カーソルオブジェクト８１の寸法は変化しない。ページ戻しボタン２ａ３を押下すると、その押下回数または押下している時間の長さに比例してカーソルオブジェクト８１が徐々に小さくなる。カーソルオブジェクト８１の寸法が設定可能な最小寸法となった以後は、ページ戻しボタン２ａ３を押下してもそれ以上カーソルオブジェクト８１の寸法は変化しない。大小ボタン２ａ６を押下すると、その押下回数または押下している時間の長さに比例してカーソルオブジェクト８１が徐々に大きくなり、最大となった後さらに大小ボタン２ａ６が押下された場合には（ページ送りボタン２ａ２、ページ戻しボタン２ａ３とは異なり）カーソルオブジェクト８１の寸法が最小に戻る。
【００７９】
オブジェクト８の他の態様に関しても同様であり、ページ送りボタン２ａ２、ページ戻しボタン２ａ３または設定ボタン２ａ５、２ａ６、２ａ７、２ａ８の押下回数または押下している時間の長さに比例して、形状、色、または指示線の有無若しくは指示線の基端の位置が順次切り替わる。
【００８０】
オブジェクト８の形状が変更される状況では、例えば、波紋、稠密な円、稠密な四角、稠密な星、横棒、中空の円、中空の四角、中空の星、縦棒、右向き矢印、左向き矢印、右を指す指、左を指す指、の順でカーソルオブジェクト８１の態様が切り替わる。
【００８１】
オブジェクト８の色が変更される状況では、例えば、不透明な（画像７を透過しない）赤色、半透明な（画像７を透過する）赤色、不透明な黄色、半透明な黄色、不透明な緑色、半透明な緑色、不透明な青色、半透明な青色、不透明な紫色、半透明な紫色、不透明な桃色、半透明な桃色、不透明な橙色、半透明な橙色、不透明な水色、半透明な水色、不透明な茶色、半透明な茶色、不透明な灰色、半透明な灰色、スポットライト、の順でカーソルオブジェクト８１の態様が切り替わる。
【００８２】
オブジェクト８の指示線が変更される状況では、指示線なし、画面６の右端部に基端がある指示線、画面６の下端部に基端がある指示線、画面６の左端部に基端がある指示線、の順で指示線オブジェクト８２の態様が切り替わる。
【００８３】
さらに、指示線の太さや色、形態等をも変更可能とするのであれば、指示線なし、画面６の右端部に基端がある細めの指示線、画面６の下端部に基端がある細目の指示線、画面６の左端部に基端がある細目の指示線、画面６の右端部に基端がある太目の指示線、画面６の下端部に基端がある太目の指示線……というように、指示線オブジェクト８２の態様が切り替わる構成とすることができる。
【００８４】
ページ送りボタン２ａ２の押下、ページ戻しボタン２ａ３の押下はそれぞれ、オブジェクト８の態様の順送り、逆送りを意味しており、順番が最後の態様（上記例によれば、左を指す指、スポットライトまたは画面６の左端部に基端がある指示線）に到達した後にページ送りボタン２ａ２を押下してもそれ以上オブジェクト８の態様は切り替わらず、順番が最初の態様（上記例によれば、波紋、不透明な赤色または指示線なし）に到達した後にページ戻しボタン２ａ３を押下してもそれ以上オブジェクト８の態様は切り替わらない。
【００８５】
そして、設定ボタン２ａ５、２ａ６、２ａ７、２ａ８の押下は、当該設定ボタン２ａ５、２ａ６、２ａ７、２ａ８に対応するカーソルオブジェクト８１または指示線オブジェクト８２の態様の順送り（または、逆送り）を意味しており、順番が最後の態様に到達した後に当該設定ボタン２ａ５、２ａ６、２ａ７、２ａ８を押下するとそのオブジェクト８の態様が最初のものに戻る（または、順番が最初の態様に到達した後に当該設定ボタン２ａ５、２ａ６、２ａ７、２ａ８を押下するとそのオブジェクト８の態様が最後のものに戻る）。
【００８６】
尤も、オブジェクト８が最後の態様となっている段階でページ送りボタン２ａ２が押下された場合に、オブジェクト８を最初の態様に戻してもよいし、オブジェクト８が最初の態様となっている段階でページ戻しボタン２ａ３が押下された場合に、オブジェクト８を最後の態様に戻してもよい。また、オブジェクト８が最後（または、最初）の態様となっている段階で設定ボタン２ａ５、２ａ６、２ａ７、２ａ８が押下された場合に、オブジェクト８の態様をそれ以上切り替えないようにしても構わない。
【００８７】
情報処理装置１の受信部１０１は、変更モード中に操作装置２のページ送りボタン２ａ２、ページ戻しボタン２ａ３、設定ボタン２ａ５、２ａ６、２ａ７、２ａ８等が押下操作された旨の情報を受信し、その操作内容に応じてオブジェクト８の態様を順次切り替えて、プレゼンテーション用の画像７に重ねて描画する（ステップＳ１２）。
【００８８】
現在画面６に表示されているオブジェクト８の態様でよいと考えた操作者は、その旨を示す操作入力を操作装置２に対して行う。具体的には、表示ボタン２ａ１、暗転ボタン２ａ４（即ち、オブジェクト８の態様の変更のために操作されるボタン２ａ２、２ａ３、２ａ５、２ａ６、２ａ７、２ａ８以外のボタン）、または情報処理装置１の操作入力デバイス（特に、マウスボタン等）１ｄを押下する。変更モード中に操作装置２の表示ボタン２ａ１が押下操作された旨の情報を受信した暁には（ステップＳ１３）、そのときのオブジェクト８の態様、即ち形状、寸法、色、指示線の有無及び基端の位置を示す情報をメインメモリ１ｂまたは補助記憶デバイス１ｃに設定情報として記憶する（ステップＳ１４）とともに、サイン９の描画を停止してサイン９を画面６内から消去する。これにより、変更モードが終了する。以後、オブジェクト８を画面６内に表示させる際（ステップＳ２、ステップＳ６）には、ステップＳ１４にて記憶した設定情報に則った態様のオブジェクト８を描画する。
【００８９】
＜６．補遺＞
既知のパーソナルコンピュータ等の情報処理装置１は、いわゆるマルチモニタ機能を有している。マルチモニタとは、複数の表示装置４を一台の情報処理装置１に接続し、各表示装置に別個の画面６を表示させ、それら画面６をつなぎ合わせた全体として広大な表示領域を具現するものである。
【００９０】
各画面６をつなぎ合わせた全体で一つの（ｘ，ｙ）座標系を仮想することができるので、本実施形態のシステムにより、ある画面６内に所在していたカーソルオブジェクト８１が隣接する別の画面６内まで移動する過程を、連続的に描画し表示させることが可能である。例えば、操作者が操作装置２を左方向に大きく旋回させれば、図１５に示すように、右側の画面６内に表示されていた（図中鎖線で示す）カーソルオブジェクト８１が左方に移動して右側の画面６の左端に達し、その後右側の画面６から消失すると同時に左側の画面６の右端に現れ、さらに左側の画面６内で左方に移動する（図中実線で示す）様相を呈することとなる。
【００９１】
しかしながら、指示線オブジェクト８２の描画表示については、カーソルオブジェクト８１のように単純にはいかない。指示線オブジェクト８２の基端を何れの画面６の外周部に設定するべきかという問題がある上、ある画面６と別の画面６とで寸法や解像度が相異していることが間々あり、指示線オブジェクト８２を複数の画面６に跨って表示させることは容易ではないからである。
【００９２】
そこで、本実施形態では、複数の画面６に跨るように指示線オブジェクト８２を描画することはせず、何れの画面６内に指示線オブジェクト８２を表示させるべきかを操作者に選択させるようにしている。
【００９３】
マルチモニタを利用してプレゼンテーション等を行う操作者は、情報処理装置１の操作入力デバイス１ｄまたは操作装置２の操作入力デバイス２ａを介して、マルチモニタの何れの画面６に指示線オブジェクト８２を表示させるかを選択する指令を入力する。情報処理装置１がＧＵＩ（Ｇｒａｐｈｉｃａｌ  Ｕｓｅｒ  Ｉｎｔｅｒｆａｃｅ）型のＯＳをインストールしたパーソナルコンピュータ等である場合、例えば図１６に示すように、ＯＳの機能として画面６内または情報処理装置１自身のディスプレイに表示されるタスクバー内の設定変更用アイコンＩをマウスカーソル０でクリックする等して、指示線オブジェクト８２を表示させる「モニタ」即ち画面６の選択操作をする。
【００９４】
この画面６の選択を受け付け、またはその情報を受信した情報処理装置１の表示制御部１０３は、選択された画面６の外周部を指示線オブジェクト８２の基端として当該画面６内に指示線オブジェクト８２を描画する一方、当該画面６外にカーソルオブジェクト８１が所在している間は指示線オブジェクト８２を描画しないように処理する。図１５は、右側の画面６が指示線オブジェクト８２（図中鎖線で示す）を表示させる画面６として操作者に選択されている状況を例示しており、カーソルオブジェクト８１（図中実線で示す）が左側の画面６内にある間は、何れの画面６にも指示線オブジェクト８２は現れない。
【００９５】
キャリブレーション機会に係わるウェイト時間の長さは、操作者が指定することができる。操作者は、情報処理装置１の操作入力デバイス１ｄまたは操作装置２の操作入力デバイス２ａを介して、ウェイト時間の長さを所定範囲内（例えば、５秒から６０秒の間）で指定する。情報処理装置１がＧＵＩ型のＯＳをインストールしたパーソナルコンピュータ等である場合、例えば図１６に示すように、ＯＳの機能として画面６内または情報処理装置１自身のディスプレイに表示されるタスクバー内の設定変更用アイコンＩをマウスカーソル０でクリックする等して設定用ダイアログＤを表示させ、ウェイト時間の長さの選択操作をする。
【００９６】
このウェイト時間の指定を受け付け、またはその情報を受信した情報処理装置１の位置決定部１０２は、以後、指定されたウェイト時間の経過によってキャリブレーション機会が発生したと判断する。
【００９７】
一個の操作装置２を複数個の受信器３の各々と関連付け、一個の操作装置２から複数個の受信器３に向けて当該操作装置２の運動方向その他の情報を送信できるようにし、各受信器３がそれぞれ接続している複数台の情報処理装置１に同じ内容の指示を与えられるようにすることも好ましい。さすれば、図１７に示しているように、操作者が一個の操作装置２を操作するのみで、各情報処理装置１がそれぞれ表示装置４を介して投影または表示させている複数の画面６に同種のオブジェクト８を描画するとともに、各オブジェクト８を同時にかつ同方向に移動させる、複数の画面６に表示されているプレゼンテーション用のスライドまたはページ７を同時に繰り替えるといった操作を行うことが可能となる。近時では、一方の画面６に日本語のプレゼンテーションを、他方の画面６に外国語のプレゼンテーションを表示させることがあり、このようなシステムの機能は非常に有用である。
【００９８】
操作装置２と受信器３との関連付けは、個々の操作装置２を識別する識別子を操作装置２から受信器３に送信して受信器３内のメモリに記憶させ、及び／または、個々の受信器３を識別する識別子を受信器３から操作装置２に送信して操作装置２内のメモリに記憶させることで行う。例えば、操作装置２と受信器３とを近接させた状態で、操作装置２や受信器３に予め実装されているリンク用ボタン（図示せず）が操作者によって押下操作されたときに、操作装置２から受信器３へ、及び／または、受信器３から操作装置２へ識別子を送信し、これを受信した側で記憶保持する。
【００９９】
そして、操作装置２から受信器３に向けて情報を送信するに際して、当該情報とともに操作装置２の識別子及び／または操作装置２が記憶している受信器３の識別子をも送信するようにする。これらを受信した受信器３の側では、自己が記憶している操作装置２の識別子及び／または自己に係る識別子とともにもたらされた情報のみを正規のものとして受理して情報処理装置１に与え、それ以外の情報は破棄する。このようにして、操作装置２と受信器３との関連付けが確立される。
【０１００】
翻って、複数個の操作装置２をそれぞれ一個の受信器３と関連付け、各操作装置２から受信器３に向けて当該操作装置２の運動方向その他の情報を送信できるようにし、受信器３が接続している一台の情報処理装置１に複数個の操作装置２の何れからでも指示を与えられるようにすることも好ましい。さすれば、複数人が集う会議の場で各人に操作装置２を配布し、各人が操作者として、情報処理装置１が表示装置４を介して表示している画面６内のオブジェクト８を操作することが可能となる。この場合、要するに、単一のオブジェクト８を複数人で共用するということになる。
【０１０１】
あるいは、図１８に示すように、操作装置２を操作する各人毎にオブジェクト８を一つの画面６内に表示させ、各人が自己に割り当てられたオブジェクト８を個別に操作できるようにしてもよい。操作装置２から受信器３に情報を送信する際に、操作装置２を識別する識別子をも送信するようにすれば、受信器３を介して情報及び識別子を受信した情報処理装置１の側で、何れの操作装置２から情報がもたらされたのかを知得できる。従って、その識別子で識別される操作装置２に対応したオブジェクト８について、その描画位置を画面６で移動させたり、オブジェクト８の態様を変更したりする処理を実行することが可能である。
【０１０２】
操作者が設定したオブジェクト８の態様やキャリブレーション機会に係わるウェイト時間等は、情報処理装置１のメインメモリ１ｂまたは補助記憶デバイス１ｃの所要の記憶領域に一時記憶されるが、このような設定情報を受信器３のメモリに記憶保持するようにしてもよい。さすれば、使用者が別の機会にシステムを利用するにあたり、使用者が過去に設定したオブジェクト８の態様やウェイト時間等を受信器３から情報処理装置１に読み出して再設定することができる。即ち、過去の設定環境を自動的に再現することができ、使用者の好みに応じたオブジェクト８の色や形状等をシステムを利用する都度手動で再設定する手間が省略されて、システムの利便性が一層向上する。また、ある情報処置装置１から脱離した受信器３を別の情報処理装置１に再接続することで、使用者が設定した環境を持ち運ぶこともできる。
【０１０３】
図１９に示すものは、本実施形態の操作装置２の変形例である。図１９に示している操作装置２は、操作入力デバイス２ａとして、押下ボタン２ａ１、２ａ２、２ａ３、２ａ４、２ａ５、２ａ６、２ａ７、２ａ８に加え、他の押下ボタン２ａ９、２ａ１０、２ａ１１、２ａ１２、２ａ１３、２ａ１４をも備えている。
【０１０４】
左ボタン２ａ９は、パーソナルコンピュータ等を操作するために使用される既知のマウスまたはこれに類するポインティングデバイスに実装されている主ボタンを模したものである。この左ボタン２ａ９は、いわゆる「左クリック」を実行するために押下されるボタンとなる。並びに、右ボタン２ａ１０は、既知のマウス等に実装されている副ボタンを模したものである。この右ボタン２ａ１０は、いわゆる「右クリック」を実行するために押下されるボタンとなる。
【０１０５】
ウィンドウ切替ボタン２ａ１１は、汎用的なＧＵＩ型ＯＳがインストールされた情報処理装置１が、ＯＳの機能として自身のディスプレイに表示しまたはプロジェクタ４を介してスクリーン５に投影する、複数のウィンドウのうちの何れを最前面に表示させるのかを切り替える目的で操作される。ウィンドウ切替ボタン２ａ１１の押下は、キーボードのＡｌｔキーとＴａｂキーとを同時に押下する等の操作と同義となる（ＷＩＮＤＯＷＳ（登録商標）  ＯＳの場合）。
【０１０６】
特定アプリケーション起動ボタン２ａ１２は、情報処理装置１にインストールされているアプリケーションプログラムのうちの特定のもの、例えば映像や音声等を再生するための再生ソフトを起動する目的で操作される。
【０１０７】
一覧表示ボタン２ａ１３は、図２０に例示するように、情報処理装置１上で実行されるプレゼンテーションソフトによる、複数のスライドまたはページ７１を情報処理装置１自身のディスプレイまたはスクリーン５に一覧表示させる機能を呼び出す目的で操作される。一覧表示ボタン２ａ１３の押下は、キーボードのＡｌｔキーとｖキーとを同時に押下し、その後にｄキーを押下する操作（または、Ｅｓｃキーを押下した後、Ａｌｔキーとｖキーとを同時に押下し、さらにｄキーを押下する操作）等と同義となる（ＰＯＷＥＲＰＯＩＮＴ（登録商標）の場合）。
【０１０８】
モード切替ボタン２ａ１４は、後述するカーソル固定モードとカーソル可動モードとの間で、モードの切り替えを行う際に操作される。
【０１０９】
また、図１９には明示していないが、ページ送りボタン２ａ２の長押しとは別に、プレゼンテーション開始を命令する目的で操作される押下ボタンを、操作入力デバイス２ａとして操作装置２に設けてもよい。この押下ボタンの操作は、キーボードのＳｈｉｆｔキーとＦ５キーとを同時に押下する操作等と同義となる。
【０１１０】
既に述べている通り、本実施形態における情報処理装置１は、汎用的なＧＵＩ型ＯＳ及びこのＯＳ上で動作する各種アプリケーションプログラムがインストールされたパーソナルコンピュータ等と同等に機能するものである。対して、本実施形態の操作装置２は、あたかも当該情報処理装置１を操作するためのワイヤレスマウスとして用いることが可能である。
【０１１１】
図１９に示している操作装置２の入力受付部２０２は、左ボタン２ａ９及び右ボタン２ａ１０の各々を介して、既知のマウス等の主ボタン及び副ボタンの押下操作を模擬する操作入力を受け付けることができる。また、同操作装置２をマウスと見立てれば、動作検出部２０１は正にこのマウス２の運動の方向及び量を検出することができる。
【０１１２】
そして、送信部２０３は、マウスに見立てられた操作装置２の運動方向及び量の情報を情報処理装置１に向けて送信するとともに、主ボタンを模擬した左ボタン２ａ９または副ボタンを模擬した右ボタン２ａ１０の押下操作があったときには、その旨の情報を情報処理装置１に向けて送信する。
【０１１３】
ウィンドウ切替ボタン２ａ１１、特定アプリケーション起動ボタン２ａ１２、一覧表示ボタン２ａ１３、モード切替ボタン２ａ１４等の押下操作があったときも、同様である。即ち、入力受付部２０２が何れかのボタン２ａ１１、２ａ１２、２ａ１３、２ａ１４に対する操作入力を受け付け、送信部２０３が何れのボタン２ａ１１、２ａ１２、２ａ１３、２ａ１４が操作されたのかを判別可能な情報を情報処理装置１に向けて送信する。
【０１１４】
情報処理装置１の受信部１０１は、前記操作装置２からもたらされる、当該操作装置２の運動方向及び量の情報を受信する。この情報は、マウスの運動方向及び量の情報として、情報処理装置１で動作するＯＳ及び／またはアプリケーションプログラムに伝えられる。
【０１１５】
また、情報処理装置１の受信部１０１は、前記操作装置２からもたらされる、各ボタン２ａ１、２ａ２、２ａ３、２ａ４、２ａ５、２ａ６、２ａ７、２ａ８、２ａ９、２ａ１０、２ａ１１、２ａ１２、２ａ１３、２ａ１４が押下された旨の情報を受信する。この情報は、マウスの主ボタンや副ボタン、またはキーボードにおいて該当する一または複数のキーが押下された旨の情報として、情報処理装置１で動作するＯＳ及び／またはアプリケーションプログラムに伝えられる。
【０１１６】
本実施形態の操作装置２を操作する操作者は、例えば、以下のようなことを行うことができる；
（ｉ）ページ送りボタン２ａ２を長押しする等して、所望のプレゼンテーションを実行開始する。プレゼンテーション中、ページ送りボタン２ａ２またはページ戻しボタン２ａ３を押下することにより、次のスライドまたはぺージをスクリーン５に投影させたり、前のスライドまたはページに戻したりする。
【０１１７】
（ii）プレゼンテーション中、表示ボタン２ａ１を押下することにより、図１等に示したように、スクリーン５に投影しているスライドまたはページ内の任意の位置にオブジェクト８を表示させ、その位置を指し示して観者の注目を集める。
【０１１８】
（iii）また、任意のタイミングで、特定アプリケーション起動ボタン２ａ１２を押下することにより、再生ソフトを起動して所望の映像を再生、スクリーン５に投影させることができる。この再生ソフトとプレゼンテーションソフトとの間の表示の切り替えは、ウィンドウ切替ボタン２ａ１１を押下することによって行う。
【０１１９】
（iv）プレゼンテーションを一通り終えた後の質疑応答時間等にあって、観者からの質問を受け付ける。このとき、一覧表示ボタン２ａ１３を押下することにより、図２０に示したように、複数のスライドまたはページ７１を情報処理装置１自体のディスプレイまたはスクリーン５に一覧表示させる。そして、ワイヤレスマウスとして機能する操作装置２を操作して、マウスカーソル０を、観者から受けた質問に関連するスライドまたはページ７１のある位置まで移動させる。しかる後、左ボタン２ａ９を押下すると、プレゼンテーションソフトにおいて、該当のスライドまたはページ７１が選択された状態となる。この状態で、操作装置２に設けられている、キーボードのＳｈｉｆｔキー及びＦ５キーの同時押下等に相当するボタンの操作（図示しない押下ボタンの押下、またはページ送りボタン２ａ２の長押し）を行うことで、選択されたスライドまたはページ７１からプレゼンテーションを再開することが可能である。即ち、選択されたスライドまたはページ７１のみが、スクリーン５に大写しで投影される。
【０１２０】
図２１に、本実施形態の操作装置２の各操作入力デバイス２ａと、マウスのボタンまたはキーボードのキーとの対応関係の例を示している。この対応関係を規定する情報は、操作装置２の制御回路２ｄに記憶保持されるか、情報処理装置１に接続する受信器３に記憶保持されるか、または、情報処理装置１にインストールされる本実施形態のプレゼンテーション用システムを構成するためのプログラムの一部として情報処理装置１のメインメモリ１ｂ若しくは補助記憶デバイス１ｃに記憶保持される。
【０１２１】
上記の対応関係の情報が操作装置２の制御回路２ｄに記憶保持されている場合には、操作装置２において、各操作入力デバイス２ａに加えられた操作を、マウスのボタンまたはキーボードのキーに対する操作に変換（または、翻訳）した上で、情報処理装置１に伝達する必要がある。この場合の操作装置２の送信部２０３は、上記の対応関係の情報に基づき、操作者の手指により操作された操作入力デバイス２ａに対応するマウスのボタンまたはキーボードのキーが操作された旨の情報を、情報処理装置１に向けて送信する。例えば、左ボタン２ａ９が押下されたのであれば「マウスの主ボタンが押下された」旨を示す情報を送信し、ウィンドウ切替ボタン２ａ１１が押下されたのであれば「キーボードのＡｌｔキー及びＴａｂキーが同時に押下された」旨を示す情報を送信する。
【０１２２】
上記の対応関係の情報が受信器３に記憶保持されている場合には、受信器３において、各操作入力デバイス２ａに加えられた操作を、マウスのボタンまたはキーボードのキーに対する操作に変換した上で、情報処理装置１に送信する。この場合の操作装置２の送信部２０３は、操作者の手指により操作された操作入力デバイス２ａを指し示す情報を送信する。そして、その情報を受信した受信器３が、上記の対応関係の情報に基づき、操作者の手指により操作された操作入力デバイス２ａに対応するマウスのボタンまたはキーボードのキーが操作された旨の情報を情報処理装置１に引き渡す。
【０１２３】
上記の対応関係の情報が情報処理装置１に記憶保持されている場合には、情報処理装置１において、各操作入力デバイス２ａに加えられた操作を、マウスのボタンまたはキーボードのキーに対する操作に変換する。この場合の操作装置２の送信部２０３は、操作者の手指により操作された操作入力デバイス２ａを指し示す情報を送信する。その情報を受信した受信器３は、これをそのまま情報処理装置１に引き渡す。そして、情報処理装置１上で起動している、本実施形態のプレゼンテーション用システムを構成するためのプログラムが、上記の対応関係の情報に基づき、操作者の手指により操作された操作入力デバイス２ａに対応するマウスのボタンまたはキーボードのキーが操作された旨を知得するとともに、必要に応じてこれをＯＳまたは他のアプリケーションプログラムに伝える。
【０１２４】
図２１に示している対応関係は、情報処理装置１にＷＩＮＤＯＷＳ（登録商標）  ＯＳやＰＯＷＥＲＰＯＩＮＴ（登録商標）がインストールされている場合の例である。情報処理装置１にインストールされたＯＳの種類またはアプリケーションプログラムの種類によっては、操作入力デバイス２ａとマウスのボタンまたはキーボードのキーとの対応関係が、図２１に例示したものとは異なっている可能性がある。現実に、特定の機能を呼び出すためのいわゆるキーボードショートカットは、ＯＳまたはアプリケーションプログラムに応じて異なる。
【０１２５】
操作入力デバイス２ａとマウスのボタンまたはキーボードのキーとの対応関係は、情報処理装置１にインストールされたＯＳ及び／またはアプリケーションに応じて変更することが好ましい。そのためには、操作装置２の制御回路２ｄ、受信器３または情報処理装置１に記憶保持される上記の対応関係の情報を、適宜改変または更新可能としておくことが好適である。
【０１２６】
引き続き、カーソル固定モード、及びカーソル可動モードについて補足する。カーソル固定モードでは、図７にも示しているように、操作者により操作装置２における表示ボタン２ａ１が押下されている間に限り、情報処理装置１（の位置決定部１０２）において、カーソルオブジェクト８１またはマウスカーソル０の描画位置を示す位置座標（ｘ，ｙ）を更新する。
【０１２７】
カーソル固定モードでは、操作者が表示ボタン２ａ１を押下操作している間に限り、この操作者が把持する操作装置２の運動の方向及び量に追従して、画面６内でカーソルオブジェクト８１（及び、指示線オブジェクト８２）が移動する。操作者が表示ボタン２ａ１を押下していないとき、カーソルオブジェクト８１またはマウスカーソル０の描画位置座標（ｘ，ｙ）は更新されず、操作者が表示ボタン２ａ１から手指を離す直前の座標に維持される。
【０１２８】
操作装置２が情報処理装置１を操作するためのマウスとして用いられる際には、操作者が表示ボタン２ａ１を押下していない間、情報処理装置１（の表示制御部１０３）が、表示ボタン２ａ１から操作者の手指が離れる直前にカーソルオブジェクト８１が表示されていた位置座標（ｘ，ｙ）にマウスカーソル０を表示する。その後、操作者が操作装置２を揺動させたとしても、そのマウスカーソル０は画面６内で不動のままとなる。マウスカーソル０を移動させたいならば、操作者が表示ボタン２ａ１を押下しながら操作装置２を揺動させる操作を行う必要がある。
【０１２９】
カーソル固定モードは、画面６内に存在する比較的小さなアイコン、ボタン、リンク等をクリックする操作を行うために便利である。操作者は、表示ボタン２ａ１を押下しながら操作装置２を揺動させることでカーソルオブジェクト８１を移動させ（これは、マウスカーソル０を移動させることにもなる）、これをクリック操作したいアイコン等に重なるように位置づけて、表示ボタン２ａ１から指を離す。さすれば、対象のアイコン等に重なる位置にマウスカーソル０が保定される。この状態で左ボタン２ａ９や右ボタン２ａ１０を押下操作すれば、対象のアイコン等を確実にクリックできる。
【０１３０】
これに対し、カーソル可動モードでは、図７と異なり、操作者により操作装置２における表示ボタン２ａ１が押下されていなくとも、情報処理装置１（の位置決定部１０２）において、カーソルオブジェクト８１またはマウスカーソル０の描画位置を示す位置座標（ｘ，ｙ）を更新し続ける。
【０１３１】
従って、カーソル可動モードでは、操作者が表示ボタン２ａ１を押下操作している間、この操作者が把持する操作装置２の運動の方向及び量に追従して、画面６内でカーソルオブジェクト８１（及び、指示線オブジェクト８２）が移動する。
【０１３２】
操作者が表示ボタン２ａ１を押下していない間は、情報処理装置１（の表示制御部１０３）が、この操作者が把持する操作装置２の運動の方向及び量に追従して、画面６内でマウスカーソル０を移動させる。操作者が表示ボタン２ａ１を押下したならば、画面６内に描画表示しているマウスカーソル０を、カーソルオブジェクト８１（及び、指示線オブジェクト８２）に変化させることとなる。
【０１３３】
カーソル可動モードからカーソル固定モードへと切り替えることを希望する操作者は、入力受付部２０１に対し、その旨を示す操作入力を行う。具体的には、モード切替ボタン２ａ１４を押下する。この操作を受け付けた操作装置２の送信部２０３は、それまで実行していた、情報処理装置１に向けた操作装置２の運動の方向及び量の情報の送信を停止する。
【０１３４】
あるいは、操作装置２から情報処理装置１に向けて、モードの切り替え命令が与えられた旨を示す情報を送信するようにしてもよい。この情報を受信した受信器３または情報処理装置１では、以後、操作装置２からもたらされる、当該操作装置２の運動の方向及び量の情報を無視する。これにより、情報処理装置１が、カーソルオブジェクト８１またはマウスカーソル０の描画位置座標（ｘ，ｙ）の更新を停止するようになる。
【０１３５】
翻って、カーソル固定モードからカーソル移動モードへと切り替えることを希望する操作者は、入力受付部２０１に対し、その旨を示す操作入力を行う。具体的には、モード切替ボタン２ａ１４を押下する。この操作を受け付けた操作装置２の送信部２０３は、それまで実行していなかった、情報処理装置１に向けた操作装置２の運動の方向及び量の情報の送信を再開する。
【０１３６】
あるいは、操作装置２から情報処理装置１に向けて、モードの切り替え命令が与えられた旨を示す情報を送信するようにしてもよい。この情報を受信した受信器３または情報処理装置１では、以後、操作装置２からもたらされる、当該操作装置２の運動の方向及び量の情報を無視せずに受け取ることとする。これにより、情報処理装置１が、カーソルオブジェクト８１またはマウスカーソル０の描画位置座標（ｘ，ｙ）の更新を再開するようになる。
【０１３７】
本実施形態によれば、プレゼンテーション用の画像７を描画した画面６をディスプレイに表示またはプロジェクタ４に投影させるための信号を出力する機能を有する情報処理装置１と、前記情報処理装置１と通信可能であり操作者が把持して操作する操作装置２とを組み合わせてなるプレゼンテーション用システムであって、前記操作装置２が、当該操作装置２の運動方向を検出する動作検出部２０１と、操作者の手指による、前記画面６を見る観者に対して当該画面６上のある位置を指し示すためのオブジェクト８を画面６内に出現させるべき旨を示す入力（表示ボタン２ａ１の押下）を受け付ける入力受付部２０２と、前記動作検出部２０１で検出した当該操作装置２の運動方向の情報を前記情報処理装置１に向けて送信するとともに、前記入力受付部２０２で前記オブジェクト８を画面６内に出現させるべき旨の入力を受け付けたときにはその情報を情報処理装置１に向けて送信する送信部２０３とを具備し、前記情報処理装置１が、前記操作装置２からもたらされる情報を受信する受信部１０１と、前記画面６内において、以前に前記オブジェクト８を描画していた位置から、前記受信部１０１で受信した前記操作装置２の運動方向の情報に対応する移動方向に変位した位置を、以後にオブジェクト８を描画するべき位置として決定する位置決定部１０２と、前記受信部１０１で受信した前記オブジェクト８を前記画面６内に出現させるべき旨の情報に基づき、前記位置決定部１０２で決定した描画位置にカーソルオブジェクト８１をプレゼンテーション用の画像７に重ねて描画し、かつ当該カーソルオブジェクト８１と画面６の外周縁部とを結ぶ指示線オブジェクト８２をプレゼンテーション用の画像７に重ねて描画した結果の画面６を、ディスプレイに表示またはプロジェクタ４に投影させるための信号を出力する表示制御部１０３とを具備するものを構成したため、レーザを使用せずに観者が見やすい、演者たる操作者がカーソルオブジェクト８１によって指し示す指示箇所を常時発見しやすい好適なシステムとなる。操作者は、レーザポインタと同じようにして操作装置２を操作し、本システムを使用することが可能である。
【０１３８】
前記情報処理装置１の位置決定部１０２が、所定のキャリブレーション機会が発生する都度、オブジェクト８を描画するべき位置を前記画面６内における所定の初期位置にリセットし、前記情報処理装置１の表示制御部１０３が、前記位置決定部１０２によるリセット後最初に前記受信部１０１で受信した前記オブジェクト８を前記画面６内に出現させるべき旨の情報に基づき、前記初期位置にカーソルオブジェクト８１をプレゼンテーション用の画像７に重ねて描画した結果の画面６を、ディスプレイに表示またはプロジェクタ４に投影させるための信号を出力するものとしているため、操作者が改めてオブジェクト８を画面６に表示させようとするに際し、ディスプレイまたはスクリーン５の画面６内における初期位置に狙いを定めて操作装置２を向けることで、操作者が意図する指示場所と実際にオブジェクト８が表示される場所とが合致するようになり、高性能かつ高価なセンシング手段を採用せずとも簡便にキャリブレーションがなされる。
【０１３９】
前記操作装置２の入力受付部２０２が、操作者の手指による、前記画面６を見る観者に対して当該画面６上のある位置を指し示すためのオブジェクト８の態様を変更する旨を示す入力（形ボタン２ａ５、大小ボタン２ａ６、色ボタン２ａ７または指示線ボタン２ａ８の押下による変更モードへの移行、変更モード中のページ送りボタン２ａ２、ページ戻しボタン２ａ３、形ボタン２ａ５、大小ボタン２ａ６、色ボタン２ａ７または指示線ボタン２ａ８の押下）を受け付け、前記操作装置２の送信部２０３が、前記入力受付部２０２で前記オブジェクト８の態様を変更する旨の入力を受け付けたときにその情報を前記情報処理装置１に向けて送信し、前記情報処理装置１の表示制御部１０３が、前記受信部１０１で受信した前記オブジェクト８の態様を変更する旨の情報に基づき、オブジェクト８の態様のうちの何が変更されるのかを示すサイン９を、プレゼンテーション用の画像７を覆い隠すメニューを表示させることなしにプレゼンテーション用の画像７に重ねて描画し、さらに、それ以前に描画していたオブジェクト８に替えて、当該オブジェクト８から態様を変更した後のオブジェクト８をプレゼンテーション用の画像７に重ねて描画した結果の画面６を、ディスプレイに表示またはプロジェクタ４に投影させるための信号を出力するものとしたため、プレゼンテーション中であっても操作者が操作装置２を操作してオブジェクト８の態様を変更設定することができる。変更モードに移行してもプレゼンテーション用の画面６が必ずしも覆い隠されないので、観者のプレゼンテーションへの関心、集中の妨げとならない。
【０１４０】
前記操作装置２の入力受付部２０２が、操作者の手指による、前記画面６を見る観者に対して当該画面６上のある位置を指し示すためのオブジェクト８を前記画面６内でその位置を保ったまま出現させ続けるべき旨を示す入力（表示ボタン２ａ１のダブルクリックまたはトリプルクリック等）を受け付け、前記操作装置２の送信部２０３が、前記入力受付部２０２で前記オブジェクト８を前記画面６内で位置を保ったまま出現させ続けるべき旨の入力を受け付けたときにその情報を前記情報処理装置１に向けて送信し、前記情報処理装置１の表示制御部１０３が、前記受信部１０１で受信した前記オブジェクト８を前記画面６内で位置を保ったまま出現させ続けるべき旨の情報に基づき、それ以前に描画していたオブジェクト８に替えて、当該オブジェクト８とは異なる態様のオブジェクト８をプレゼンテーション用の画像７に重ねて描画した結果の画面６を、ディスプレイに表示またはプロジェクタ４に投影させるための信号を出力するものとしたため、操作装置２を空中で不動に固定するように支えておかなくとも、操作者の必要に応じて、画面６内でオブジェクト８を特定の位置に表示させ続けておくことが可能となる。その上、観者の注目を集めるような態様のオブジェクト８を表示させ続けておくことで、プレゼンテーションの効果を一層高めることにも寄与し得る。
【０１４１】
前記情報処理装置１がパーソナルコンピュータ等であり、前記操作装置２の入力受付部２０２が、操作者の手指による、パーソナルコンピュータ等を操作するために用いられるマウスのボタンの押下操作を模擬する入力を受け付け、前記操作装置２の送信部２０３が、前記入力受付部２０２で前記マウスのボタンの押下操作を模擬する入力を受け付けたときにその情報を前記情報処理装置１に向けて送信し、前記情報処理装置１の受信部１０１が、前記操作装置２からもたらされる、当該操作装置２の運動方向の情報を前記マウスの運動方向を模擬するものとして受信するとともに、前記マウスのボタンの押下操作を模擬する入力があった旨の情報をも受信することから、操作装置２をパーソナルコンピュータ等１を操作するためのマウスまたはこれに類するポインティングデバイスとして利用することも可能となっている。
【０１４２】
なお、本発明は以上に詳述した実施形態に限られるものではない。例えば、操作装置２にレーザ光出力モジュールを実装し、操作装置２をレーザポインタとしても使用できるようにしてもよい。操作装置２をレーザポインタとして使用する場合、表示ボタン２ａ１が、レーザ光を出射させるための出射ボタンの役割を担うものとしてもよい。
【０１４３】
操作装置２は、ワイヤレスマウスとしての利用に供することができる。
【０１４４】
上記実施形態では、指示線オブジェクト８２の基端の位置を操作者が選択するものとしていたが、操作装置２のモーションセンサ２ｂがディスプレイまたはスクリーン５の表面に対する操作装置２の相対位置（操作装置２がディスプレイまたはスクリーン５の画面６中央部位から見て左側にあるのか、右側にあるのか、下側にあるのか、上側にあるのか等）を恒常的に感知でき、その情報を情報処理装置１が受信できる場合には、操作装置２の相対位置に応じて、情報処理装置１の位置決定部１０２が自動的に指示線オブジェクト８２の基端の位置（画面６の左端部、右端部、下端部または上端部）を決定するようにしてもよい。
【０１４５】
操作装置２から情報処理装置１に向けて無線で情報を送信する場合、両者の距離が離れすぎてしまうと、必要な情報の授受がうまくいかなくなるおそれがある。そこで、操作装置２に実装しているモーションセンサ（特に、加速度センサまたは六軸モーションセンサ）２ｂにより検出される操作装置２の運動から、操作装置２と情報処理装置１との距離を（情報処理装置１または操作装置２において）推算し、両者の距離が所定閾値以上となったときにその旨を操作者に報知することも好ましい。報知は、情報処理装置１と接続している表示装置たるディスプレイやプロジェクタ４等に表示出力させることで、あるいは、操作装置２に実装している発光デバイス、表示デバイス、音声出力デバイスまたは振動デバイス等を介して出力させることで行う。
【０１４６】
上記実施形態における操作装置２では、オブジェクト８の態様の種別（形状、大小（サイズ）、色、指示線）毎に個別の設定ボタン２ａ５、２ａ６、２ａ７、２ａ８を実装していたが、このようなものではない操作入力デバイス２ａを操作装置２に実装することを妨げない。例えば、操作入力デバイス２ａとして、オブジェクト８の態様の種別を選択するダイヤルやカーソルキー等の一つの操作手段または操作ボタンを実装しておき、当該操作手段または操作ボタンでオブジェクト８の態様の種別を選択した上で、ページ送りボタン２ａ２、ページ戻しボタン２ａ３等を押下操作することにより、オブジェクト８に係る選択された態様を変更できるように構成することが考えられる。
【０１４７】
その他、各部の具体的構成や処理の手順等は、本発明の趣旨を逸脱しない範囲で種々変形が可能である。
【産業上の利用可能性】
【０１４８】
本発明は、会議や講演会、講義等の場で使用されるプレゼンテーション用システムに適用することができる。
【符号の説明】
【０１４９】
１…情報処理装置
２…操作装置
６…画面
８…オブジェクト
８１…カーソルオブジェクト
８２…指示線オブジェクト
９…サイン
【図１】
2012121277.tif 000003
【図２】
2012121277.tif 000004
【図３】
2012121277.tif 000005
【図４】
2012121277.tif 000006
【図５】
2012121277.tif 000007
【図６】
2012121277.tif 000008
【図７】
2012121277.tif 000009
【図８】
2012121277.tif 000010
【図９】
2012121277.tif 000011
【図１０】
2012121277.tif 000012
【図１１】
2012121277.tif 000013
【図１２】
2012121277.tif 000014
【図１３】
2012121277.tif 000015
【図１４】
2012121277.tif 000016
【図１５】
2012121277.tif 000017
【図１６】
2012121277.tif 000018
【図１７】
2012121277.tif 000019
【図１８】
2012121277.tif 000020
【図１９】
2012121277.tif 000021
【図２０】
2012121277.tif 000022
【図２１】
2012121277.tif 000023
【国際調査報告】
2012121277.tif 000024
2012121277.tif 000025